(57)【要約】  表示制御装置は、表示制御装置の傾きと移動量を検出する検出手段と、移動量が所定条件を満たす場合には、傾きに応じて画像の表示方向を切り替え、移動量が該所定条件を満たさない場合には、傾きに関わらず画像の表示方向を維持する制御手段と、を含む。
2014141843.tif 000002
【特許請求の範囲】
【請求項１】
自装置の傾きと移動量を検出する検出手段と、
前記移動量が所定条件を満たす場合には、前記傾きに応じて画像の表示方向を切り替え、前記移動量が前記所定条件を満たさない場合には、前記傾きに関わらず前記画像の表示方向を維持する制御手段と、を含む表示制御装置。
【請求項２】
前記所定条件は、前記移動量が閾値以下であるという条件である、請求項１に記載の表示制御装置。
【請求項３】
請求項１または２に記載の表示制御装置と、
前記画像を表示する表示手段と、を含む情報機器。
【請求項４】
表示制御装置が行う表示制御方法であって、
前記表示制御装置の傾きと移動量を検出し、
前記移動量が所定条件を満たす場合には、前記傾きに応じて画像の表示方向を切り替え、前記移動量が前記所定条件を満たさない場合には、前記傾きに関わらず前記画像の表示方向を維持する、表示制御方法。
【請求項５】
コンピュータに、
前記コンピュータの傾きと移動量を検出する検出手順と、
前記移動量が所定条件を満たす場合には、前記傾きに応じて画像の表示方向を切り替え、前記移動量が前記所定条件を満たさない場合には、前記傾きに関わらず前記画像の表示方向を維持する制御手順と、を実行させるためのプログラムを記録したコンピュータ読み取り可能な記録媒体。
【発明の詳細な説明】
【技術分野】
【０００１】
本発明は、表示制御装置、情報機器、表示制御方法およびプログラムに関し、特には、画面表示を制御する表示制御装置、情報機器、表示制御方法およびプログラムに関する。
【背景技術】
【０００２】
加速度センサを備えた情報機器が普及している。加速度センサを備えた情報機器では、加速度センサにて情報機器の傾き（向き）が検出され、その検出結果に応じて、情報機器の表示画像の向きが変更される。【０００３】
例えば、スマートフォン等の情報機器が縦向きに保持されている場合、表示画像は縦向きになり、情報機器が横向きに保持されている場合、表示画像は横向きになる。【０００４】
しかし、情報機器の向きとユーザの顔の上下方向の向きは、必ずしも一致しない。このため、表示画像の向きとユーザの顔の上下方向の向きとが異なり、ユーザが認識し難い向きで表示画像が表示されることがある。【０００５】
例えば、ユーザが横たわっている場合には、ユーザの顔の上下方向の向きと重力方向は一致しないことが多い。このため、ユーザが横たわっている場合に、表示画像の向きが情報機器の向きに応じて変更されると、表示画像は、ユーザにとって認識し難い向きで表示される可能性が有る。【０００６】
特許文献１には、表示画像がユーザにとって認識し難い向きで表示されることを抑制可能な携帯端末装置が記載されている。【０００７】
特許文献１に記載の携帯端末装置は、携帯端末装置の傾きに応じて画像を回転する回転表示モードと、携帯端末装置の傾きに関わらず画像の向きを固定するロック表示モードと、を有し、かつ、加速度センサにて携帯端末装置の傾きと移動量と移動方向とを検出する。【０００８】
特許文献１に記載の携帯端末装置は、回転表示モード下での移動方向および移動量が、重力方向に５０ｃｍ以上２００ｃｍ以下である場合、ユーザが横たわっている状態に移行したと判定して、表示モードをロック表示モードに切り替える。【０００９】
また、特許文献１に記載の携帯端末装置は、ロック表示モード下での移動方向および移動量が、重力方向と逆方向に５０ｃｍ以上である場合、ユーザが立っている状態に移行したと判定して、表示モードを回転表示モードに切り替える。
【先行技術文献】
【特許文献】
【００１０】
【特許文献１】特開２０１２−５８３３２号公報
【発明の概要】
【発明が解決しようとする課題】
【００１１】
特許文献１に記載の携帯端末装置は、傾きに応じて画像の表示方向を切り替えるか否かを決定するために、携帯端末装置の移動量と移動方向との両方を検出する必要があった。【００１２】
このため、傾きに応じて画像の表示方向を切り替えるか否かを決定するために必要となる情報の種類を少なくする手法が望まれていた。【００１３】
本発明の目的は、上記課題を解決可能な表示制御装置、情報機器、表示制御方法およびプログラムを提供することである。
【課題を解決するための手段】
【００１４】
本発明の表示制御装置は、
自装置の傾きと移動量を検出する検出手段と、
前記移動量が所定条件を満たす場合には、前記傾きに応じて画像の表示方向を切り替え、前記移動量が前記所定条件を満たさない場合には、前記傾きに関わらず前記画像の表示方向を維持する制御手段と、を含む。【００１５】
本発明の表示制御方法は、
表示制御装置が行う表示制御方法であって、
前記表示制御装置の傾きと移動量を検出し、
前記移動量が所定条件を満たす場合には、前記傾きに応じて画像の表示方向を切り替え、前記移動量が前記所定条件を満たさない場合には、前記傾きに関わらず前記画像の表示方向を維持する。【００１６】
本発明の記録媒体は、
コンピュータに、
前記コンピュータの傾きと移動量を検出する検出手順と、
前記移動量が所定条件を満たす場合には、前記傾きに応じて画像の表示方向を切り替え、前記移動量が前記所定条件を満たさない場合には、前記傾きに関わらず前記画像の表示方向を維持する制御手順と、を実行させるプログラムを記録したコンピュータ読み取り可能な記録媒体である。
【発明の効果】
【００１７】
本発明によれば、傾きに応じて画像の表示方向を切り替えるか否かを決定するために必要となる情報の種類を少なくすることが可能になる。
【図面の簡単な説明】
【００１８】
【図１】本発明の第１実施形態の表示制御装置１を示したブロック図である。
【図２】表示制御装置１の動作を説明するためのフローチャートである。
【図３】本発明の第２実施形態の情報機器１１を示したブロック図である。
【図４】情報機器１１の動作を説明するためのフローチャートである。
【図５】表示部１２での表示方向の変更例を説明するための図である。
【図６】表示部１２での表示方向の変更例を説明するための図である。
【図７】画像の表示方向と情報機器１１の状態との関係の一例を示した図である。
【図８】画像の表示方向と情報機器１１の状態との関係の一例を示した図である。
【図９】画像の表示方向と情報機器１１の状態との関係の一例を示した図である。
【発明を実施するための形態】
【００１９】
以下、本発明の実施形態を図面を参照して説明する。
【００２０】
（第１実施形態）
図１は、本発明の第１実施形態の表示制御装置１を示したブロック図である。
【００２１】
図１において、表示制御装置１は、検出部２と制御部３とからなる。
【００２２】
検出部２は、検出手段の一例であり、例えば加速度センサである。検出部２は、表示制御装置１の傾きと移動量を検出する。
【００２３】
制御部３は、制御手段の一例である。制御部３は、表示制御装置１を制御する。例えば、制御部３は、検出部２の検出結果に基づいて、画像の表示方向を制御する。
【００２４】
次に、動作を説明する。
【００２５】
図２は、表示制御装置１の動作を説明するためのフローチャートである。
【００２６】
検出部２は、表示制御装置１の傾きと移動量を検出する（ステップＳ２０１）。
【００２７】
制御部３は、検出部２にて検出された表示制御装置１の移動量が所定条件を満たす場合には、検出部２にて検出された表示制御装置１の傾きに応じて画像の表示方向を切り替え、表示制御装置１の移動量が該所定条件を満たさない場合には、表示制御装置１の傾きに関わらず画像の表示方向を維持する（ステップＳ２０２）。
【００２８】
次に、本実施形態の効果について説明する。
【００２９】
本実施形態によれば、検出部２は、表示制御装置１の傾きと移動量を検出する。制御部３は、表示制御装置１の移動量が所定条件を満たす場合には、表示制御装置１の傾きに応じて画像の表示方向を切り替え、表示制御装置１の移動量が該所定条件を満たさない場合には、表示制御装置１の傾きに関わらず画像の表示方向を維持する。
【００３０】
このため、表示制御装置１の傾きに応じて画像の表示方向を切り替えるか否かを、表示制御装置の移動量に基づいて決定することが可能になる。よって、傾きに応じて画像の表示方向を切り替えるか否かを決定するために必要となる情報の種類を少なくすることが可能になる。
【００３１】
（第２実施形態）
図３は、本発明の第２実施形態の情報機器１１を示したブロック図である。
【００３２】
図３において、情報機器１１は、例えば、携帯電話機またはスマートフォンである。なお、情報機器１１は、携帯電話機またはスマートフォンに限らず、適宜変更可能である。例えば、情報機器１１は、ゲーム機、タブレットＰＣ（Personal  Computer）、ノートＰＣ、ＰＤＡ（Personal  Data  Assistants：携帯情報端末）、タブレット端末、または、デジタルカメラでもよい。
【００３３】
情報機器１１は、表示部１２と、加速度センサ１３と、制御部１４と、を含む。なお、情報機器１１が携帯電話機またはスマートフォンである場合には、携帯電話機またはスマートフォンの他の機能を実現するための機能ブロックが必要であるが、それらは公知であるので図３では省略する。
【００３４】
表示部１２は、表示手段の一例であり、例えば、LCD（Liquid  Crystal  Display）、有機EL（Electro  luminescence）ディスプレイ等の表示デバイスである。なお、表示部１２は、LCDや有機ELディスプレイに限らず適宜変更可能である。表示部１２は、表示面上に画像を表示する。
【００３５】
加速度センサ１３は、検出手段の一例である。加速度センサ１３は、重力加速度を計測し、情報機器１１の移動量および傾き（姿勢）を検出する。
【００３６】
制御部１４は、制御手段の一例である。制御部１４は、情報機器１１の動作を制御する。例えば、制御部１４は、加速度センサ１３の検出結果に基づいて、表示部１２での画像の表示方向を制御する。
【００３７】
なお、加速度センサ１３と制御部１４は、表示制御装置１５に含まれる。
【００３８】
次に、動作を説明する。
【００３９】
図４は、情報機器１１の動作を説明するためのフローチャートである。
【００４０】
加速度センサ１３は、情報機器１１の傾きと移動量を検出する（ステップＳ４０１）。
【００４１】
続いて、加速度センサ１３は、情報機器１１の傾きと移動量の検出結果を表す検出信号を制御部１４に送信する。
【００４２】
制御部１４は、加速度センサ１３からの検出信号を受信すると、その検出信号に基づいて、情報機器１１の傾きと移動量を把握する。
【００４３】
続いて、制御部１４は、情報機器１１の移動量が予め設定された閾値以下であるかを判断する（ステップＳ４０２）。
【００４４】
なお、情報機器１１の移動量が予め設定された閾値以下であるという条件は、所定条件の一例である。
【００４５】
また、閾値は、制御部１４に予め設定されている。閾値としては、例えば５０ｃｍが用いられる。閾値は５０ｃｍに限らず適宜変更可能である。
【００４６】
ステップＳ４０２で情報機器１１の移動量が閾値よりも大きい場合、制御部１４は、情報機器１１の傾きに関わらず、表示部１２での画像の表示方向を変更する処理を実施せずに、画像の表示方向を維持する（ステップＳ４０３）。
【００４７】
一方、情報機器１１の移動量が閾値以下である場合、制御部１４は、情報機器１１の傾きに応じて、表示部１２での画像の表示方向を変更する処理を実施する（ステップＳ４０４）。
【００４８】
ここで、表示部１２での画像の表示方向を変更する制御手法について説明する。
【００４９】
制御部１４は、加速度センサ１３からの検出信号を基にして情報機器１１の傾き角度についての変化量を検出し、その変化量から情報機器１１の回転量を把握する。続いて、制御部１４は、情報機器１１の回転量が予め設定した範囲となると、表示部１２での画像の表示方向を、情報機器１１が回転した方向に変更する。
【００５０】
なお、表示部１２での画像の表示方向を変更する制御手法は公知技術であるため、詳細な説明は省略する。
【００５１】
次に、表示部１２での画像の表示方向の変更例を説明する。
【００５２】
図５に示したように、長方形の表示部１２を備えた情報機器１１が、情報機器１１の短辺１１ａが下になるように保持（以下「縦向きに保持」とも称する）されている場合、表示部１２に表示されている画像は縦向きになる。
【００５３】
一方、ユーザが文字の入力方式をＱＷＥＲＴＹ配列のキーボード入力方式に変更して横長表示での文章編集を行いたいとき、ユーザは情報機器１１の長辺１１ｂが下になるように情報機器１１を保持（以下「横向きに保持」とも称する）し直す。
【００５４】
このため、図６に示したように、情報機器１１は図５に示した状態から時計回りに９０度回転する。加速度センサ１３は、この回転を検出し、検出結果を制御部１４に送信する。制御部１４は、加速度センサ１３の検出結果を受信すると、その検出結果に応じて、画像（文章編集画面）の向きを横向きに、すなわち、画像を反時計回りに９０度回転した方向に変更する。
【００５５】
ただし、情報機器１１はユーザにて保持されているので、ユーザの無意識の些細な動きに応じて、情報機器１１の傾きが一時的に変更される可能性が有る。このため、制御部１４は、短時間（例えば、１秒未満の時間）の回転動作に反応して画像の表示方向を変更しないように、予め設定した一定時間（例えば１秒）以上にわたってその回転の状態が維持された際に、画像の表示方向を変更する。
【００５６】
図７〜９は、画像の表示方向と情報機器１１の状態との関係の一例を示した図である。
【００５７】
図７は、ユーザ２０が座っており顔の上下方向の向きが縦向きになっている状況で、ユーザ２０が情報機器１１を縦向きに保持している状態を示した図である。このとき、図７に示したように、表示部１２での画像は縦向きに表示されており、ユーザ２０にとって画像の上下左右の向きが正常な状態となる。
【００５８】
図８は、ユーザ２０が、図７に示した状態から情報機器１１を保持したまま横たわった状態に移行して、顔の上下方向の向きが横向きになりながら、情報機器１１を横向きに保持している状態を示した図である。
【００５９】
この一連の動作にて情報機器１１の移動量は閾値よりも大きくなり、制御部１４は、ステップＳ４０３を実行する。このため、情報機器１１は回転したが、表示部１２での画像の表示方向は変更されない。したがって、ユーザ２０にとって画像の上下左右の向きが正常な状態となる。
【００６０】
続いて、図９に示したように、ユーザ２０が、横たわった状態のまま画像を横長の方向で見るために、情報機器１１を時計まわりに９０度回転して、ユーザ２０の顔の上下方向の向きに対して情報機器１１を横向きに持ち替えた場合、情報機器１１の移動は、持ち替えに伴う僅かな動揺に限られる。このため、情報機器１１の移動量は閾値以下になる。したがって、制御部１４は、ステップＳ４０４を実行する。
【００６１】
ステップＳ４０４では、制御部１４は、情報機器１１の傾きに応じて表示部１２での画像の向きを横向きに、すなわち反時計回りに９０度回転した方向に変更する。
【００６２】
次に、本実施形態の効果について、特許文献１に記載の携帯端末装置と対比して説明する。
【００６３】
特許文献１に記載の携帯端末装置は、ユーザが横たわった状態になってロック表示モードになると、携帯端末装置が重力方向と逆方向に５０ｃｍ以上移動しない限り、つまり、ユーザが立った状態に移行するまで、ロック表示モードは解除されない。このため、ユーザが横たわった状態になってから携帯端末装置の向きを変更しても、画面の表示向きは変更されず、ユーザは画面を視認し難くなってしまう。
【００６４】
一方、本実施形態では、制御部１４は、情報機器１１の移動量が閾値以下である場合に、情報機器１１の傾きに応じて表示部１２での画像の表示方向を切り替える。このため、例えば、ユーザ２０が横たわった状態になってから情報機器の向きを変更した場合、画面の表示向きを変更することが可能になる。
【００６５】
また、本実施形態では、制御部１４は、情報機器１１の移動量が閾値よりも大きい場合に、情報機器１１の傾きに関わらず画像の表示方向を維持する。このため、例えば、ユーザが横たわった状態に移行した際に、情報機器１１の傾きに応じて画像の表示方向が不必要に変更されることを抑制可能になる。
【００６６】
また、各上記各実施形態において、表示制御装置１または情報機器１１は、コンピュータにて実現されてもよい。この場合、このコンピュータは、コンピュータにて読み取り可能なＣＤ−ＲＯＭ（Compact  Disk  Read  Only  Memory）のような記録媒体に記録されたプログラムを読込み実行して、表示制御装置１または情報機器１１が有する機能を実行する。記録媒体は、ＣＤ−ＲＯＭに限らず適宜変更可能である。
【００６７】
以上説明した各実施形態において、図示した構成は単なる一例であって、本発明はその構成に限定されるものではない。
【００６８】
実施形態を参照して本願発明を説明したが、本願発明は上記実施形態に限定されるものではない。本願発明の構成や詳細には、本願発明のスコープ内で当業者が理解し得る様々な変更をすることができる。この出願は、２０１３年３月１４日に出願された日本出願特願２０１３−５１８９３を基礎とする優先権を主張し、その開示の全てをここに取り込む。
【符号の説明】
【００６９】
１      表示制御装置
２      検出部
３      制御部
１１      情報機器
１２      表示部
１３      加速度センサ
１４      制御部
１５      表示制御装置
【図１】
2014141843.tif 000003
【図２】
2014141843.tif 000004
【図３】
2014141843.tif 000005
【図４】
2014141843.tif 000006
【図５】
2014141843.tif 000007
【図６】
2014141843.tif 000008
【図７】
2014141843.tif 000009
【図８】
2014141843.tif 000010
【図９】
2014141843.tif 000011
【手続補正書】
【提出日】平成27年9月7日(2015.9.7)
【手続補正１】
【補正対象書類名】特許請求の範囲
【補正対象項目名】請求項５
【補正方法】変更
【補正の内容】
【請求項５】
コンピュータに、
前記コンピュータの傾きと移動量を検出する検出手順と、
前記移動量が所定条件を満たす場合には、前記傾きに応じて画像の表示方向を切り替え、前記移動量が前記所定条件を満たさない場合には、前記傾きに関わらず前記画像の表示方向を維持する制御手順と、を実行させるためのプログラム。
【手続補正３】
【補正対象書類名】明細書
【補正対象項目名】００１６
【補正方法】変更
【補正の内容】
【００１６】
本発明のプログラムは、
コンピュータに、
前記コンピュータの傾きと移動量を検出する検出手順と、
前記移動量が所定条件を満たす場合には、前記傾きに応じて画像の表示方向を切り替え、前記移動量が前記所定条件を満たさない場合には、前記傾きに関わらず前記画像の表示方向を維持する制御手順と、を実行させる。
【国際調査報告】
2014141843.tif 000012
2014141843.tif 000013